Podtech/llm-jp-corpus-v4-ja_patent huggingface dataset:
(57)【要約】      （修正有）【課題】持ち運びが容易な入れ歯ケースを提供する。【解決手段】２枚の長方形フィルムの３辺を接着し、長手方向中央部より折り曲げて使用する袋で、折り曲げて内側になる面の中央より少し下の部位とトップ部位に開口部を設ける。さらに、該２つの開口部をジッパーにより開閉可能とする第１のポケットＤを形成し、前記折り曲げたフイルムの外側の左右いずれかの側端面にジッパーつきの開口部を有する第２のポケットを形成し、前記第１のポケットの底部に窪みを設けるか又は両隅をカットして携帯用入れ歯ケースを構成する。【選択図】図４
0003159312.tif 000002
【実用新案登録請求の範囲】
【請求項１】
２枚の長方形フイルムの３辺を接着し、長手方向中央部より折り曲げて使用する袋で、折り曲げて内側になる面の中央より少し下の部位とトップ部位に開口部を設け、これらはジッパーにて開閉可能な第一のポケットを形成し、この裏面には長手方向端面にジッパー付きの開口部を有する第２のポケットを形成し、又底部については底部をくぼませたり、円形楕円形など形態を問うことなく底部を形成し安定をはかった携帯用入れ歯ケースである。
【考案の詳細な説明】
【技術分野】
【０００１】
本考案は持ち運びを容易にするための入れ歯ケースに関するものである。
【背景技術】
【０００２】
従来の入れ歯ケースは自宅で使用するものが多く、陶器やプラスチックの製品で重かったり硬かったり壊れやすかったり、持ち運びに適したものは知られていない。
【考案の概要】
【考案が解決しようとする課題】
【０００３】
従来の入れ歯ケースは変形できず、がさばる、重い、壊れるなど携帯に不向きであることを解決して尚且つ入れ歯除菌洗浄剤等、同時に使用するものを一緒に携帯出来るケースを提供することが課題である。
【課題を解決するための手段】
【０００４】
上記課題を解決する為に軽量で壊れにくい合成樹脂などを使用し、ケースの長手方向内側略中央部に設けた開口部より水を入れ蓄え除菌等もして使用し、使用後は好みにより幾重にも折りたたみ小さくして携帯を容易にする。又裏面に設けたポケットには入れ歯洗浄剤等を保管し同時携帯を可能とする。
【考案の効果】
【０００５】
従来、旅行先に入れ歯ケースを持参しない人も、軽く、壊れる事も少なく、スペースを取らなくしかも入れ歯除菌洗浄剤をも入れて同時に携帯出来る入れ歯ケースがあれば、それをマイ入れ歯ケースとして持参する人が増え、宿泊先のコップを入れ歯ケースの代用に使用する等という衛生面で好ましくない行為を無くするのに充分に効果がある。
【図面の簡単な説明】
【０００６】
【図１】ケースの正面図
【図２】ケースの裏面図
【図３】ケース中央部を横から見た断面図
【図４】ケースに水をいれ使用している図
【実施例１】
【０００７】
本考案の実施の形態を図１から図２図３図４にもとずいて説明する。
図１のトップに備えたジッパー１は歯ブラシ等を入れ同時携帯を希望するときに開閉し使用し、折り曲げて内側になるＡ面の中央部少し下の部位に備えたジッパー２を開き第１のポケットＤに水を入れ使用し、又上部綿ファスナーは使用後に下部の綿ファスナーに合わせる事により携帯を容易にし、Ｆ部は水を入れた状態において安定の為底部両サイドの一部を対照的にカットし端部を接着した場合の底部の形態を示す。
図２は図１の裏面Ｂの形態であり長手方向端面にあるジッパー３を有する第２のポッケトＥを示し除菌洗浄剤等を保管する為の形態を有する。
図３は底部を窪ませた場合の当ケースの中央部を長手方向に上から下に切った時の形態を示す断面図である。
図４は当ケース２の開口部よりポッケトＤに水を入れその中に歯や除菌洗浄剤などを入れ使用し、B面上部と其れに取り付けたC面のポケット面を蓋を兼ねて下に折り下げ使用している時の形態を示すものであり又使用後は水を捨て小さく折り畳むか歯ブラシ等を入れる洗面ケースとしても使用可能な形態を有する事を添える。
【０００８】
本考案を実施する上での素材はたゆむ事の出来る合成樹脂が望ましく図１に示す形態は１のジッパーを開閉することにより歯ブラシ等の洗面用具入れをも兼ねて使用する場合の形態であり、又図２に示す様にＡ面裏Ｂ面とＣ面にて形成した第２のポッケトＥ部には端面にあるジッパー３の開閉により除菌洗浄剤等を保管する事とし、図４はジッパー２を開き第１のポケットＤに水を入れ使用している形態を示すものであるがこの状態の安定を図る為に底部は図１，２に示すＦ部の様に両隅をカットしたり底部を窪ませたり、円形や多角形であっても良く形態は問わない。又第一のポケットＤに水を入れての使用時には上部を蓋を兼ねてＡ面下部を覆う様にして折下げ、使用後は水を捨てジッパー２を閉め歯ブラシ等を入れ上のジッパー１を開閉し洗面ケースとして使用する事も可能であり又中央より２つ折や、好みのサイズまで幾重にも折ることにより、より小さくして収納し携帯を容易にするものである。
【符号の説明】
【０００９】
Ａ  １と２のジッパーと第１のポケットＤがある面。
Ｂ  Ａ面の裏面でＣ面第２ポケットとジッパー３がある面。
Ｃ  入れ歯除菌洗浄剤等を入れる為にＢ面に取り付けた第２のポケット面。
Ｄ  Ａ面とＢ面とで形成した第１のポケット。
Ｅ  Ｂ面と其れに取り付けたＣ面とで形成した第２のポケット。
１  ケース表面Ａと裏面Ｂとの口を開閉させるジッパー。
２  ケース表面Ａの上部と下部第一のポケット部とのジッパー。
３  ケースＢ面と第２のポケット面Ｃとのジッパー。
Ｆ  水を蓄えた時の安定を高める為切り取る場合の部位例。
【図１】
0003159312.tif 000003
【図２】
0003159312.tif 000004
【図３】
0003159312.tif 000005
【図４】
0003159312.tif 000006
【手続補正書】
【提出日】平成21年12月17日(2009.12.17)
【手続補正１】
【補正対象書類名】実用新案登録請求の範囲
【補正対象項目名】請求項１
【補正方法】変更
【補正の内容】
【請求項１】
2枚の長方形フィルムの３辺を接着し、長手方向中央部より折り曲げて使用する袋で、折り曲げて内側になる面の中央より                          少し下の部位とトップ部位に開口部を設け、該２つの開口部をジッパーにより開閉可能とする第１のポケットを形成し，前記折り曲げたフィルムの外側の左右いずれかの側端面にジッパーつきの開口部を有する第２のポケットを形成し、前記第１のポケットの底部に窪みを設けることを特徴とする携帯用入れ歯ケース。
【手続補正書】
【提出日】平成22年2月22日(2010.2.22)
【手続補正１】
【補正対象書類名】実用新案登録請求の範囲
【補正対象項目名】請求項１
【補正方法】変更
【補正の内容】
【請求項１】
２枚の長方形フィルムの３辺を接着し、長手方向中央部より折り曲げて使用する袋で、折り曲げて内側になる面の中央より少し下の部位とトップ部位に開口部を設け、該２つの開口部をジッパーにより開閉可能とする第１のポケットを形成し，前記折り曲げたフイルムの外側の左右いずれかの側端面にジッパーつきの開口部を有する第２のポケットを形成し、前記第１のポケットの底部に窪みを設けるか又は両隅をカットすることを特徴とする携帯用入れ歯ケース。
(57)【要約】      （修正有）【課題】布団乾燥器の使用に際し、寝具間の空間形成を簡易、確固に成し、更に布団乾燥器機能に寝具衛生向上機能を加えることができる循環型布団乾燥器を提供する。【解決手段】底部フレーム１と空間形成フレーム２で骨格を成し、寝具間の空間形成を確固なものとし、更に空間形成フレーム２は使用後の片付けを簡易に行う為に、折りたたみ可能となる半円型の溝、ボルト、スプリング、ナットを用いるヒンジ３接合とする。又空間形成フレーム内の空気は、布団乾燥器１１内を通し送風動力機室１７・温熱発生機室１８の他、空気清浄フィルター１２，１３，１９・除湿ドレン１４・滅菌１５・脱臭除菌１６・芳香２０の各ブロック室を順次、循環する方式とするものである。【選択図】図１
0003159315.tif 000002
【実用新案登録請求の範囲】
【請求項１】
基台となる、底部フレーム左右内側に有する半円型の溝に嵌合する、断面が円形の棒状からなる空間形成フレームをヒンジ接合させて成る折りたたみ式空間形成器を、一対とする除湿・脱臭除菌・芳香機能を有す、循環型布団乾燥器
【考案の詳細な説明】
【技術分野】
【０００１】本考案は、上下寝具間における温風域の空間形成を確固なものにし且つ、道具の片付けを簡易に行える様にし、寝具を衛生的に維持する為の機能を有する、布団乾燥器に関するものである。
【背景技術】
【０００２】従来の布団乾燥器に付属する袋状空気溜りの器は化繊布等のみで出来ている為、寝具の重量等によって空気溜りの形状が変形し易く、潰れることがあり、寝具から発生する湿気及び、臭気対策が十分と言えない構造で構成されている。
【考案の概要】
【考案が解決しようとする課題】
【０００３】従来の袋状空気溜まりは、寝具の重量等によって形状が変形するため、温風が寝具に対し広範に行き渡らないことがある。
又、使用後の布団乾燥器一連の後片付けを簡易に行える様にする必要があり、尚従来の布団乾燥器機能は、寝具を衛生的に保つ事への機能が不足している。
【課題を解決するための手段】
【０００４】基台となる、底部フレーム左右内側に有する半円型の溝に嵌合する断面が円形の棒状からなる空間形成フレームをヒンジ接合させて成る、折りたたみ式空間形成器を一対とする除湿・脱臭除菌・芳香機能を有する
循環型布団乾燥器。
【考案の効果】
【０００５】  以下の様な効果を有するものである。
１、寝具間には、空間形成フレームによって確固な空間が形成される為、温風が広範に行き渡る。
２、寝具より発生する埃・湿気・臭い・雑菌の除去が行われる。
３、空間形成器の、片付けを簡易に行うことが出来る。
【図面の簡単な説明】
【図１】底部及び空間形成フレーム、及び布団乾燥器内ブロック室平面図
【図２】ヒンジ部平面図
【考案を実施するための最良の形態】
【実施例】
【０００６】底部フレーム１が、空間形成フレーム２の一各々と交差する底部フレーム１左右の内側を適度に半円型溝２５に欠き、半円型溝２５および空間形成フレーム２左右の根元部に貫通穴２６を空ける。【０００７】底部フレーム１其の、内側に配置する空間形成フレーム２との面と面を、水平的に且つ並列に据え置きし、底部フレーム１の外側から、スプリング２３を付したボルト２２を底部フレーム１及び空間形成フレーム２に通し、スプリング２３を付し、ナット２４を適度に締付けて組み上げる。
空間形成フレーム２の立上げ時は、底部フレーム１に対し並列する略、水平状態の空間形成フレーム２を徐々に引き起こし、立ち上げ、半円型溝２５にスプリング２３の反発力を利して底部フレーム１、空間形成フレーム２の、嵌合状態を成すものとなる。
又、収納時は空間形成フレーム２を、矢印５の下向き方向に押し倒し、空間形成フレーム２の丸みを利して、半円型溝との擦を生じさせ、ヒンジ３のスプリング２３を収縮し、空間形成フレーム２の根元を浮かせ、底部フレーム１の半円型溝２５の嵌合状態から離脱させる。更に矢印５下向き方向に倒すことによって空間形成フレーム２の一各々を、底部フレーム１の内側に、水平的に収めるものである。
底部フレーム１には、フレーム変形防止の為の突っ張り材４を着し、更に送風管６ｂ・吸入管７ｂを固着器具８によって、底部フレーム１に固着する。【０００８】布団乾燥器１１内の各ブロック室１２〜２０及び、循環送風・吸入誘導管９，１０を順路立てて配するものである。
尚、布団乾燥器１１内の、送風・吸入動力機室１７温熱発生機室１８以外の各ブロック室１２，１３、１４，１５，１６、１９，２０においては、部材交換用の出入り口を設けるものである。
【符号の説明】１  底部フレーム
２  空間形成フレーム
３  スプリング付、ヒンジ
４  底部フレーム、突っ張り材
５  空間形成フレームの立ち上げ及び、収納の上下方向を示す矢印
６ａ  布団乾燥器側送風管
６ｂ  空間形成フレーム側送風管
７ａ  布団乾燥器側吸入管
７ｂ  空間形成フレーム側吸入管
８  送風・吸入管固定器具
９  吸入誘導管
１０  送風誘導管
１１  布団乾燥器
１２  一次、エアー・フィルター室
１３  二次、エアー・フィルター室
１４  除湿・ドレン室
１５  滅菌室
１６  脱臭・除菌室
１７  送風・吸入動力機室
１７ａ  補助吸入孔
１８  温熱発生機室
１９  三次、エアー・フィルター室
２０  芳香剤室
２１  布団乾燥器内、空気流動方向を示す矢印
２２  ボルト
２３  スプリング
２４  ナット
２５  底部フレームの半円型溝
２６  フレーム貫通穴
【図１】
0003159315.tif 000003
【図２】
0003159315.tif 000004
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
平面配置となる底部フレームの、左右内側に設ける半円・角型等の溝に、空間形成フレームがヒンジ接合する、布団相互に空間を為すための折りたたみ式空間形成器及び、脱臭・除菌除湿機能室及び芳香剤貯蔵室を有する温風循環型布団乾燥機。
(57)【要約】      （修正有）【課題】ユーザーが好みの表示物をキーホルダーに表示加工することができるキーホルダーの構造を提供する。【解決手段】リング状のキー取付部１と、丸穴を２箇所開けためがね型の展開形状のものを中央で折り曲げて貼りあわてなる枠体２とからなり、この枠体２の中央部分にリング状のキー取付部１が挿通されており、また透明板３が枠体２の丸穴部分に挟み込んで固定されている。【選択図】図２
0003159318.tif 000002
【実用新案登録請求の範囲】
【請求項１】
キー取付部とこれに接続された枠体とからなり、この枠体に透明板が保持されているキーホルダーの構造。
【請求項２】
前記透明板の両面に同形状の表示物を、透明板をはさむように貼付させた請求項１記載のキーホルダーの構造。
【請求項３】
前記枠体が皮革製である請求項１または２記載のキーホルダーの構造。
【考案の詳細な説明】
【技術分野】
【０００１】この考案はキーホルダーに関するものである。
【考案の概要】
【考案が解決しようとする課題】
【０００２】本考案はキーホルダーのデザインの多様化を目的としたものである。透明板を用いて、必要に応じた表示を可能とする。枠体の中が透明板であるため、板の両面に同型の表示物を固定することで固定した表示物が空中に存在しうるよう表現するキーホルダーの構造である。
【考案の効果】
【０００３】本考案の構造にしたことにより、ユーザーに付加価値をつけてもらい、オリジナルのキーホルダーとして提供することがねらいである。本考案の構造にしたことで、ユーザーに透明板の両面に固定した表示物が空中に浮いていると錯覚を起こさせることもねらいとする。この考案の構造のキーホルダーは、キーを取り付ける金具と一体に連なっている。また枠体の中の透明板は合成樹脂素材の板が望ましい。枠体は、皮革を使用することで、カラーバリエーションも増やすことができる。皮革がもっとも最適であるが、枠体として金属、プラスチックなど皮革以外の材質でもかまわわない。ユーザーは、カラーと表示物の両方から楽しむことができる。本考案の構造のキーホルダーは、ユーザーの好みの装飾体を必要に応じて、表示物を自由に交換して取り付けることのできる身のまわり品として提供することができる。
【図面の簡単な説明】
【０００４】
【図１】  本考案の枠体の展開図である。
【図２】  本考案のキーホルダーの正面図
【図３】  本考案のキーホルダーの側面図
【実施例】
【０００５】本考案の実施例を以下のとおり説明する。図１は枠体２の展開図を示すものである。図１は、めがねを立てた形状の皮革に丸穴を、２箇所開けたものである。展開図はめがね型に限定しない。
また一枚皮革のみに限らず、同型の皮革２枚でも可能とする。貼りあわせることが可能であれば形にはこだわらない。【０００６】図２の１は丸リングの取付金具、図２の２は図１を上下に折って貼りあわせた皮革、図２の３は透明板である。１の取付金具は、丸リングに限らず装飾体に取り外し可能な金具であれば形や材質にこだわらない。【０００７】図１の皮革に取付金具１を通し、透明板３をはさんで接着材で貼り合わせたものが図２のキーホルダーとなる。本考案の構造のキーホルダーは自分だけの個性的な装飾体にすきなように取り付けて表示することができる。装飾体とは、カバンやハンドバック、ベルト等革製品、その他携帯する身のまわり品を指している。【０００８】図３は図２のキーホルダーを側面から見た側面図であり、透明板３に貼付した表示物４、５をあらわしたものである。なお、図３の透明板３は側面から目視し難いがこの位置に挟み込まれていることを図示している。図２のキーホルダーは、図２の透明板３に表示物４、表示物５を固定表示することができる。粘着層によって表示物４、５を固定しているが、固定方法は粘着層を使用することにこだわらない。【０００９】図３の表示物４と表示物５は同型状のものを両面から位置を合わせて貼り合わせている。なぜなら、表示物４のみ固定すると表示物４の裏側の面に粘着層部分が見えて、見栄えが悪くなるからである。表示物４、５は同型のものを使用し、位置をあわせて透明板をはさむことで粘着層をみえないようにしている。【００１０】表示物４、表示物５は写真・印刷物・シール、金属、皮革、樹脂板、ボタン、ビーズ、毛糸など、表面に装飾になる色柄が表現されている物をさしている。図３のキーホルダーのように表示物４と表示物５を貼り付けて提供することも可能だが、図２のキーホルダーのように、表示物４、５を取付ない状態、すなわち透明板のみの状態でキーホルダーを商品として提供し、この透明板に何を取り付けるかは、ユーザーの好みに任せることもできる。
【符号の説明】
【００１１】１  取付金具
２  枠体
３  透明板
４  表示物
５  表示物
【図１】
0003159318.tif 000003
【図２】
0003159318.tif 000004
【図３】
0003159318.tif 000005
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
リング状のキー取付部１と、丸穴を２箇所開けためがね型の展開形状のものを中央で折り曲げて貼りあわてなる枠体２とからなり、この枠体２の中央部分に前記リング状のキー取付部１が挿通されており、また透明板３が枠体２の丸穴部分に挟み込んで固定されているキーホルダーの構造。
【請求項２】
前記透明板３の両面に２枚の同形状の表示物４と表示物５を位置を合わせてそれぞれ透明板３を挟むように貼付した請求項１記載のキーホルダーの構造。
【請求項３】
前記枠体２が皮革製である請求項１または請求項２記載のキーホルダーの構造。
(57)【要約】      （修正有）【課題】体力のない子豚を繁殖力の強い新型インフルエンザ等の病気から守る為の病原菌の防御装置を装備した子豚育成器を提供する。【解決手段】子豚の離乳後の隔離施設において、（１）換気口３の下に、子豚に無害の消毒液の入った消毒液タンク５を取り付け、（２）消毒液を霧状にするミスト発生装置４を消毒液タンクに併設し、（３）消毒液を噴霧し、子豚の住む室内を消毒する。以上からなる構造の病原菌の防御装置を装着して子豚育成器１を構成する。【選択図】図１
0003159317.tif 000002
【実用新案登録請求の範囲】
【請求項１】
ウイルス等の病原菌を滅菌できる子豚に無害の各種の消毒液を換気口より、定期的に子豚居住室内に送り込み
１．部屋内の病原菌を滅菌する。
２．子豚に付着した病原菌を滅菌する。
３．飼料、飲料水に噴霧した消毒液がかかり、子豚の口や鼻から体内に入り体内の病原菌を滅菌し病原菌の増殖を抑え子豚が重病になるのを防ぐ。
【考案の詳細な説明】
【技術分野】
【０００１】  本考案は、子豚の離乳後の育成器に新型インフルエンザ等の病原菌を滅菌し子豚が病気にかからないよう無害の消毒液の噴霧装置付き子豚育成器
【背景技術】
【０００２】  現在、子豚の体力がつくまでの隔離装置はあるが、近頃の豚インフルエンザや鳥インフルエンザ等の流行により隔離だけの防御策では，対応できない現状である。
【考案の開示】
【考案が解決しようとする課題】
【０００３】  体力のない子豚を繁殖力の強い新型インフルエンザ等の病気から守る為の病原菌の防御装置を装備した子豚育成器
【課題を解決する為の手段】
【０００４】  子豚育成器の子豚居住部屋に換気口より定期的に無害の消毒液を噴霧し、部屋内の病原菌の滅菌、子豚に付着した病原菌の滅菌、体内に入った病原菌の滅菌により病原菌の増殖を抑える。
【考案の効果】
【０００５】  本考案の効果は、病気の発病を抑え、子豚同士の水平感染を抑え、子豚が重傷になるのを抑え家畜の大量屠殺をくい止める。
【考案を実施する為の最良の形態】
【０００６】  本考案を実施する為の形態は、現在の子豚育成器の換気口から定期的に無害の消毒液を噴霧機により送り込み、子豚の居住部屋の病原菌の滅菌、子豚に付着した病原菌の滅菌、体内に入った病原菌の滅菌により病原菌の増殖をくい止め重病になるのを抑えるよう子豚の生活空間に定期的に無害の消毒液をミスト状にし送り込める装置を育成器に直接装備する。
【実施例】
【０００７】  当社の子豚育成器に病原菌防御装置を装備し、テスト販売を行い好評を頂いている。尚、消毒液は、某メーカーの次亜塩素水系のものを使用。病院、学校、水産加工場等で使われている。
【産業上の利用可能性】
【０００８】  本考案は、現在の新型インフルエンザ対策として、病院をはじめ学校、スーパー等、人が集まる場所に装備するころにより大流行を抑制することが可能である。
【図面の簡単な説明】
【０００９】
【図１】  本案の説明図である。
【符号の説明】
【００１０】▲１▼‥‥‥‥‥  子豚育成器
▲２▼‥‥‥‥‥  配電盤
▲３▼‥‥‥‥‥  換気口
▲４▼‥‥‥‥‥  ミスト発生装置
▲５▼‥‥‥‥‥  消毒液タンク
【図１】
0003159317.tif 000003
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
子豚の離乳後の隔離施設において、
（１）換気口の下に、子豚に無害の消毒液の入った消毒液タンクを取り付け、
（２）消毒液を霧状にするミスト発生装置を消毒液タンクに併設し、
（３）消毒液を噴霧し、子豚の住む室内を消毒する、
以上からなる構造の病原菌の防御装置を装着した子豚育成器。
(57)【要約】      （修正有）【課題】穴部の側面を検査する検査プローブにおいて、検査中に検査プローブが被検査体に接触し、破損することを防止する非接触検査プローブの破損防止装置を提供する。【解決手段】穴の側面を検査する検査プローブ３において、故障や操作不良などにより検査プローブ３が被検査体５に接触した場合に検査プローブ３から被検査品５に電流が流れこれを検知することにより装置を停止または回避することにより最小限の衝撃にして、検査プローブ３が破損することを防止する。【選択図】図１
0003159316.tif 000002
【実用新案登録請求の範囲】
【請求項１】
穴の中を検査する非接触検査システムにおいて検査をおこなう先端の検査プローブに電気を流すことにより導電性の被検査体との接触を検知した時に検査プローブ又は前記被検査体の停止または回避をおこなうことを特徴とする非接触検査装置の破損防止装置。
【請求項２】
検査プローブの先端部を柔軟性のある導電材にすることにより接触の衝撃を吸収することが出来る請求項１記載の非接触検査装置の破損防止装置。
【考案の詳細な説明】
【技術分野】
【０００１】本考案は、被検査体に接触せず検査する検査装置の検査プローブに於ける破損防止装置に関するものである。
【背景技術】
【０００２】  従来の技術としてレーザー照射式の表面傷検査装置で検査する部品の穴部内部側面の傷や割れ、鋳物で出来た部品の穴部側面に発生する巣穴などの不良部分を検出する検査装置では被検査体の検査する表面から一定距離をあけて検査装置の検査プローブを移動又は被検査体が移動して検査をおこなう。
【先行技術文献】
【特許文献】
【０００３】
【特許文献１】特開２００１−１４１４４２号公報（請求項４、図１）
【考案の概要】
【考案が解決しようとする課題】
【０００４】  レーザー照射式の表面傷検査装置に於いて検査時の検査装置移動時または被検査体の移動時に操作不良や制御異常等により被検査体と検出プローブ３の接触により検出プローブ３が破損する。この破損を防ぐか又は最小限の破損とする必要がある。【０００５】  本考案は、検査プローブ３が導電性の被検査体５と接触する場合に最初に接触する可能性が高い部分を導電性にして被検査体と接触した場合に電気の流れが変化することを検知し接触を検知することにより装置の停止または回避をおこなうことにより重大な破損という問題点を解決する。
【考案の効果】
【０００６】  上述の様に、本考案の検査装置に於ける破損防止装置は、被検査体との接触する速度と加速度により接触状態が変わり接触する衝撃も変化する、しかし破損防止機構が無い場合には重大な破損にいたるがこの装置があることにより破損が無くなるか又は最小限の破損となる。
【図面の簡単な説明】
【図１】本考案の本体部１と検査プローブ３により検査をおこなう被検査体５を示す。
【図２】本考案の検査プローブ３と穴部６の詳細な図面を示す。
【考案を実施するための形態】
【０００７】  被検査体には、いくつかの加工された丸穴部６が開いており、この穴部６に検査プローブ３の先端部を挿入し穴部６側面の品質状態を検査する。
【０００８】  被検査体５に開けてある穴部６の大きさ、深さ、位置は被検査体５の種類により違う形状を示す。通常、検査プローブ３は穴部６の中心を上部から下部底部へ当たらない範囲で移動し検査をおこなう。
【０００９】  回転する検査プローブ３にはスリップリングが接続されて数ボルトの電流が付加されているが、通常の正規動作ではこの電流は流れない。
【００１０】  被検査体５にはアース線が接続されており移動時または検査装置移動時に操作不良や制御異常等が起こり被検査体５と検査プローブ３の接触が起こった場合は電流が被検査体５へ流れる為、接触を検知して制御部にフィードバックし検査の為の装置移動を停止または回避方向への移動をおこなう構造となっている。
【００１１】  また、検査プローブ３の先端部に柔軟性のある導電材７を保護材として塗布することにより被検査体５と接触した場合にその衝撃を最小限に減少させることが出来る。
【００１２】  もしこの破損防止装置が設置されていなければ、検査プローブ３の先端部にレーザー光反射ミラー８が付けられており、接触により容易に破損するか又は検査プローブ３が湾曲などの変形を起こし検査ができなくなる。
【符号の説明】
【００１３】１  本体部
２  レーザ光発信部
３  検査プローブ
４  レーザー光発信窓
５  披検査体
６  穴部
７  柔軟性のある導電材
８  レーザー光反射ミラー
【図１】
0003159316.tif 000003
【図２】
0003159316.tif 000004
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
本体とレーザ光発信部とスリップリングを接続した検査プローブと制御部を有する非接触検査装置の破損防止装置であって前記検査プローブに電気を流すことにより前記検査プローブとアース線が接続された被検査体との接触を検知した前記制御部にて前記検査プローブ又は前記被検査体の停止または回避をおこなうことを特徴とする非接触検査装置の破損防止装置。
【請求項２】
前記検査プローブの先端部を柔軟性のある導電材にすることにより接触の衝撃を吸収することが出来る請求項１記載の非接触検査装置の破損防止装置。
(57)【要約】      （修正有）【課題】従来の漉機では原料が必要以上に練られてしまい、素材の水分が表面化したり、漉アミのところで原料が熱をおびて変色してしまうという問題があった為、原料の品質を保持しつつ、処理能力を増大させる対策を施した多段切断漉機を提供する。【解決手段】本体内部に荒挽き作用をもたせた本体内周刃１０を追加し多段切断方式にすることにより、特別な動力源を追加することなくスムーズに原料を流すことができ問題点は解消され、従来機の１６０％以上に相当する処理能力向上も認められた。また今まで処理しにくかった原料（唐辛子、ヨモギ等）ほどその効果は大きく、さらに数倍の処理能力向上が認められた。本体胴部内部に本体内周刃を内蔵させている為、機械の全長は従来機と同寸法になっており、それ以下とすることも可能となった。本体内周刃付ユニット５を使用すれば一台で数種類の様々な処理が可能となり多品種処理用としても充分対応できる機能を有している。【選択図】図１
0003159319.tif 000002
【実用新案登録請求の範囲】
【請求項１】
同一機械内部の排出方向に移送途中で予め原料を細分化させながら、原料の動きを妨げる事なく最終カッターに通す、本体一体型およびユニット型の多段切断漉機。
【考案の詳細な説明】
【考案の詳細な説明】
【技術分野】
【０００１】  本考案は、肉、魚、穀物、豆類、山野草、野菜等を破砕、細断、または味噌、塗料等のペースト類を裏漉しする漉機に関する。
【背景技術】
【０００２】  従来この種の裏漉し、細断等に使用する機械としては、本体胴部内に送り込みスクリューを備え、上部に設けたホッパー（投入口）から投入される原料をスクリューにより本体胴部先端に送り、同先端部に設けた漉アミ・カッターで細断して送り出すものが知られている。この場合、投入される原料が漉アミにあいている無数の小径の孔を通過できる粗度のものばかりとは限らず、当然のようにかなり粗いものまでが含まれている為、漉アミを通過させるのにかなりの抵抗がかかったり、漉アミ・カッターの擦り合わせ面に張り付いてしまうこともあり、それにより漉アミを通過できない原料が、スクリューから送られてくる原料と練られてしまい、水分の表面化および発熱による変色などが起こりやすく、品質そのものを損なうことがあり、スクリューの羽根のピッチを進行方向に対して徐々に狭くしていき加圧圧送状態を作り出し、強制的に排出させるなどの方法がとられてきたが、未だ現実的な改善には及んでいない。
【考案が解決しようとしている課題】
【０００３】  従来型の漉機では使用できなかった小径の漉アミを、投入される原料の粗度は現在のままで、品質を損なうことなく使用することができるようにするため、原料が漉アミ・カッターの仕上げ漉し部分に到達する前に、ある程度細分化する機能を有し、原料の流れを妨げることなく、漉アミ通過時の抵抗を減らす事ができ、漉アミの目詰まりを防止し、且つ、本機を設置して実際に作業しているスペースはあまり広くないところが多いため、従来型の漉機と入れ替えて使用できるよう従来型と同じ大きさに抑えた漉機を提供するものである。
【課題を解決するための手段】
【０００４】  本考案は、従来方式の本体胴部内面に原料の進行方向に且つ、スクリューの回転方向と同一のねじれを有する本体内周刃を設けることにより、スクリュー外周先端が外周の刃の役目を果たし、本体内周刃と鋭角に交叉することにより円周上に発生する連続的鋏作用を利用して、本体長を延長することなく鋏作用の実行距離を伸ばし、原料の流れを妨げることなく、漉アミ・カッターの手前で原料をより細分化させることにより、漉アミ通過時の抵抗を軽減し原料の練れの防止を実現、処理品の品質も損なうことなく処理能力も向上、よって上記課題を解決するものである。
【実施例】
【０００５】  図１及び図２に示すように、本考案の多段切断漉機は本体胴部２の先端内面に原料進行方向に対してきつい螺旋状に本体内周刃１０となる角材が二条巻きの形で植え込まれた本体内周刃付ユニット５または本体一体型内周刃を有している。そしてこの先の同軸上に従来型と同じくカッター６と漉アミ７が組み込まれている。【０００６】  図１で示すように、ホッパー１から投入され本体胴部２に入った原料は従来型の漉機と同様、スクリュー４の回転運動によって本体胴部２の先端部分に設けられた本体内周刃付ユニット５へと送られる。【０００７】  本体内周刃付ユニット５に送られた原料は、本体内周刃１０とスクリュー４作用面の外周先端が交叉する時に発生する円周上の連続的鋭角な鋏作用によって細分化され、本体内周刃１０はスクリュー４と同一方向に螺旋状に溝が形成されているために、原料の流れを妨げることなく、その先にあるカッター６と漉アミ７のところに送られる。【０００８】  カッター６と漉アミ７のところへ送られてきた原料は、無数の小径の孔を有する漉アミ７とカッター６で仕上げの漉しにかけられ排出される。【０００９】  この時、原料は本体内周刃付ユニット５の通過時にある程度細分化されているため漉アミ７通過時の抵抗は減少し、原料は必要以上に練られることなく、スムーズに排出される。【００１０】  必要な動力としては、スクリュー４とカッター６は本体胴部２内に伸びているシャフト３の回転のみであり従来型漉機と同じである。
【考案の効果】
【００１１】  本考案に係る多段切断漉機は、本体内周刃とスクリューの外周による連続的鋏作用により、おおまかに刻まれた後に仕上げの漉しにかけられるため、抵抗が減少し原料の練れが防止でき、なおかつ、処理能力も大幅に増大し実用性に優れている。また本体内周刃をユニット型にすると原料の種類や粒度の違い、半加工用、あるいは製品漉し用にと、本体内周刃のスクリューに対する角度の違う本体内周刃付ユニットに交換することにより様々な処理が一台で可能となる。本体一体型またはユニット型と、いずれの場合も本体内周刃を付加することにより、従来機と比べ小さい動力での運転が可能となり、省エネルギー化も実現している。
【図面の簡単な説明】
【図１】多段切断漉機の本体上面よりの断面図である。
【図２】多段切断漉機の本体部分解図である。
【符号の説明】        １・・・ホッパー
２・・・漉機本体胴部
３・・・シャフト
４・・・スクリュー
５・・・本体内周刃付ユニット
６・・・カッター
７・・・漉アミ
８・・・アミ受け
９・・・大ナット
１０・・・本体内周刃
１１・・・原料
【図１】
0003159319.tif 000003
【図２】
0003159319.tif 000004
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
同一機械の筒状内部において、スクリューによる排出方向への移送途中で、スクリュー外周部先端と筒部内周に設置された渦巻状の溝先端で原料を細分化させながら、原料の動きを妨げる事なく最終カッターに通す、本体一体型およびユニット型の多段切断漉機。
(57)【要約】      （修正有）【課題】同床タイルに立体的意匠デザイン性を持たせ、その上、キズを防止する合成樹脂製床タイルを提供する。【解決手段】表面に立体的凹凸エンボス意匠図柄を有した着色塩化ビニール樹脂シートを加熱軟化させ、その上に塩化ビニール樹脂以外で、ＰＥＴ−Ｇ樹脂シートのような塩化ビニール樹脂と熱融着できる熱可塑性透明樹脂シートを粘度がある状態に加熱軟化させて、立体的凹凸エンボス意匠図柄が熱変形しないように各々のシートを貼り合わせて、その上に表面保護用塩化ビニール樹脂シートを加熱積層し、最下部層として再生塩化ビニール樹脂板状コア材を加熱しながら貼り合わせて成る。【選択図】図２
0003159391.tif 000002
【実用新案登録請求の範囲】
【請求項１】
表面に立体的凹凸エンボス意匠図柄を有した着色塩化ビニール樹脂シートを加熱軟化させ、その上に塩化ビニール樹脂以外で、ＰＥＴ−Ｇ樹脂（ポリエチレンテレフタレート樹脂共重合体）シートのような塩化ビニール樹脂と熱融着できる熱可塑性透明樹脂シートを粘度がある状態に加熱軟化させ、立体的凹凸エンボス意匠図柄が熱変形しないように各々のシートを貼り合わせて、最上層にキズ防止用表面保護層である塩化ビニール樹脂シートを加熱積層し、最下部層として再生塩化ビニール樹脂板状コア材を加熱し貼り合わせて成る中間層に立体的凹凸エンボス意匠図柄を持つ積層合成樹脂製床タイル
【考案の詳細な説明】
【技術分野】
【０００１】本考案は従来、プリントタイルと呼ばれている平面意匠性の図柄を有する合成樹脂製床タイルに対して立体的意匠性の図柄を中間層として有する合成樹脂製床タイルに関する。
【背景技術】
【０００２】近年、基材である再生ベース樹脂板状コア材層の表面に意匠性を有する印刷シートを積層し、その上にオーバーレイと呼ばれるキズ防止用表面保護シート層を積層した構造で、通称、プリントタイルと呼ばれる塩化ビニール樹脂製積層合成樹脂製床タイルが普及している。
【考案の概要】
【考案が解決しようとする課題】
【０００３】従来、前記の合成樹脂製床タイルは、中間層としての意匠性のある印刷シートが平面的で、デザイン上、立体的迫力に欠けるという問題点があった。そこで、同床タイルに立体的意匠デザイン性を持たせるための方法として、基材である再生ベース樹脂板状コア材層の上に積層する中間層である平面的意匠性を有する印刷シートの代わりに、立体的で深みのある意匠図柄を有したシート層を設け、さらに、その上にキズ防止のための表面保護シート層を積層した構造を有する合成樹脂製床タイルを形成することを課題とする。
【考案が解決するための手段】
【０００４】まず、塩化ビニール樹脂以外で、ＰＥＴ−Ｇ樹脂（ポリエチレンテレフタレート樹脂共重合体）シートやＡＢＳ樹脂（アクリル・ブチル・スチレン）ような塩化ビニール樹脂シートと熱融着できる熱可塑性透明樹脂シートを加熱により粘度がある状態にし、その下部に表面が立体的凹凸エンボス意匠図柄を有した着色塩化ビニール樹脂シートをそのエンボス図柄が変形しないように貼り合わせた積層シートを中間層として形成し、最上部層として、表面保護層である塩化ビニール樹脂シートを加熱積層し、最下部層として再生塩化ビニール樹脂板状コア材層を加熱により貼り合わせ、立体的凹凸エンボス意匠図柄を中間層に持つ積層合成樹脂製床タイルを形成する。
【０００５】この時、立体的凹凸エンボス意匠図柄を有した着色塩化ビニール樹脂シートの上に、塩化ビニール樹脂シートを熱融着した場合、両方の塩化ビニール樹脂シートの熱融着面同士が溶融して一体化し、平面状になるために立体的凹凸エンボス意匠図柄の形状が変形して崩れてしまう。従って、立体的凹凸エンボス意匠図柄とその上に積層する透明樹脂シートは異なる樹脂でなければならない。同時に、その二種の樹脂同士は異樹脂であっても熱融着できなければならない。
【考案の効果】
【０００６】従来、平面的意匠性を有するプリントタイルや表面層がエンボス加工された通称、Ｐタイルと呼ばれるコンポジットタイルの表面エンボス改良品は、デザイン性、意匠性に深みがなかった。本考案による立体的凹凸エンボス意匠図柄を中間層として有する積層床タイルは、表面の凹凸エンボス面に透明ＰＥＴ−Ｇ樹脂が入り込むために、透明樹脂層の厚みは、エンボス図柄の凹凸部分により異なっており、その透明樹脂の厚みの違いによるレンズ効果によって、立体的凹凸エンボス意匠図柄がくっきりと浮き上がって見える効果が得られる。
【図面の簡単な説明】
【０００７】
【図１】  従来のプリントタイルの断面図
【図２】  本考案による凹凸エンボス意匠図柄を有する合成樹脂製床タイルの断面図
【考案を実施するための形態】
【実施例】
【０００８】押出機により押出加工されてＴダイスより製膜されてすぐの段階で、粘度のある０．１〜０．２ｍｍ厚みのＰＥＴ−Ｇ樹脂シート５の下部に、加熱ロールにより軟化させた立体的な凹凸エンボス意匠図柄を表面に有する０．１ｍｍ厚みの半硬質着色塩化ビニール樹脂シート６を、その凹凸エンボス意匠図柄が熱変形しないようにインラインで貼り合わせ、その後、その貼り合わせした積層シートを中間層として、二次加工にてその最上部層に０．２〜０．４ｍｍ厚みのキズ防止用表面保護オーバーレイ層である半硬質塩化ビニール樹脂シート１を加熱ロールにて貼り合わせ、かつ、最下部層に再生軟質塩化ビニール樹脂板状コア材層４を貼り合わせ、総厚が用途により２〜５ｍｍ厚みとし、１２インチ角（３００ｍｍ角）または１８ｍｍインチ角（４５０ｍｍ角）に打ち抜いて、中間層に凹凸エンボス意匠図柄を有する積層合成樹脂製床タイルを形成する。
【産業上の利用可能性】
【０００９】従来、立体的凹凸エンボス意匠図柄を有する塩化ビニール樹脂シートは、壁紙として利用されているものの、本考案による中間層に同意匠図柄を有する積層合成樹脂製床タイルは、従来存在しない新しい産業上の製品として十分に利用され得る。
【符合の説明】
【００１０】１    キズ防止用表面保護シート層（オーバーレイ）
２    印刷意匠層
３    印刷用塩化ビニール樹脂シート層
４    再生塩化ビニール樹脂板状コア材層
５    ＰＥＴ−Ｇ樹脂などの透明樹脂シート層
６    凹凸エンボス意匠図柄を表面に持つ着色塩化ビニール樹脂シート層
【図１】
0003159391.tif 000003
【図２】
0003159391.tif 000004
(57)【要約】      （修正有）【課題】支柱差し込み用スタンドは、円錐形状であり、通気孔を設け、植物の成長及び風雨等による支柱倒れ防止とし、また、鉢内部底面は突起による通気性の確保ができ、植物の根腐れ防止ができる支柱差し込みスタンドを提供する。【解決手段】植木鉢１内部底面の大小に合わせ、円錐形状２と一対となっている円形の台座３をカットして調節。内部底面に敷く。そして、支柱５を建て込み穴４に差し込み培養土を入れる。培養土を入れることにより支柱の揺れも無くなり、自立する。【選択図】図３
0003159396.tif 000002
【実用新案登録請求の範囲】
【請求項１】
植木鉢の大きさに合わせ自由にカットすることができる内部底面に置く台座と一対の円錐形状部材からなり、前記円錐形状部材には、多数の通気孔と上部中央に支柱を差し込む穴とが設けられることを特徴とする、支柱差し込み用スタンド。
【考案の詳細な説明】
【技術分野】
【０００１】  本考案は、各種既存植木鉢の底部の大小にカットすることにより対応できるようにした円錐形状及び、上部中央から支柱を差し込みができるよう穴を設けた支柱差し込み用スタンドである。
【背景技術】
【０００２】  既存の植木鉢で土に埋めただけの支柱で植物の茎を支えて栽培していたが、成長により又、風雨等により支柱倒れと、鉢本体の底面が総じて平らであるので植物の成長と同時に根巻きで根腐れを起こし、栽培植物がだめになっていた。
【先行技術文献】
【特許文献】
【０００３】
【特許文献１】  登録実用新案第３１１６６２９号公報
【考案の概要】
【考案が解決しようとする課題】
【０００４】  栽培植物の背が、成長するにつれ土中に差しただけの支柱では、植物の茎を支えるのは、不安定である。また、植物成長の過程で既存植木鉢底部は、一般に平らであり、根張りが進むにつれ根巻きを起こした状況では、通気性を欠き根腐れを起こしていた。
【課題を解決するための手段】
【０００５】  植木鉢の大きさに合わせ自由にカットすることができる内部底面に置く台座と一対の円錐形状部材からなり、前記円錐形状部材には、多数の通気孔と上部中央に支柱を差し込む穴とが設けられることを特徴とする、支柱差し込み用スタンド。
【考案の効果】
【０００６】  上述のように本考案は、植物の成長及び風雨等による支柱倒れ防止として効果があり、また支柱差し込み用スタンドは、円錐形状であり、通気孔を設けるので鉢内部底面は、突起による通気性の確保ができ、植物の根腐れ防止として大変な効果がある。
【図面の簡単な説明】
【０００７】
【図１】本考案の根腐れ防止付支柱差し込みスタンドの平面図である。
【図２】本考案の根腐れ防止付支柱差し込みスタンドの立面図である。
【図３】本考案の根腐れ防止付支柱差し込みスタンドの断面図
【考案の実施するための形態】
【０００８】  各種既存植木鉢の内部底面の大小に合わせ、円錐形状と一対になっている円形の台座をカットし底面に置くだけである。
【実施例】
【００９】  以下、添付図面に従って一実施例を説明する。
（１）の既存植木鉢内部底面の大小に合わせ、円錐形状（２）と一対となっている円形の台座（３）をカットして調節。内部底面に置く（敷く）だけである。
そして、支柱（５）を建て込み穴（４）に差し込み培養土を入れる。培養土を入れることにより支柱の揺れも無くなり、自立する。
【符号の説明】
【０００１０】  （１）  既存植木鉢
（２）  円錐形状に通気孔を設けたもの
（３）  自由にカットできる円形の台座
（４）  支柱建て込み穴
（５）  市販の棒竹
【図１】
0003159396.tif 000003
【図２】
0003159396.tif 000004
【図３】
0003159396.tif 000005
(57)【要約】      （修正有）【課題】結ぶ必要の無い革と貴金属を用いたネクタイを提供する。【解決手段】革製の細長い部品１で輪を作り、重なった部分を貴金属の部品２にて止める。部品１で作った輪を首からかけ、貴金属部品２をネクタイの結び目のかわりとする。【選択図】図１
0003159308.tif 000002
【実用新案登録請求の範囲】
【請求項１】
（イ）革製の細長い部品（１）を設ける
（ロ）部品（１）で輪をつくり重なった部分をまとめる貴金属製の部品（２）を設ける
（ハ）部品（１）を部品（２）でまとめることによりできた輪を首に通す
以上の構成よりなる革と貴金属を用いたネクタイ
【請求項２】
部品（１）は細長い革を二つ折りにし、革の重なった側をジグザグ縫いして広げることにより、平らで細長い筒状の部品とする。
【請求項３】
部品（２）は図面の図３のような形状となっており、内部にある出っ張りで部品（１）をしっかり固定する形状となっている。
【請求項４】
部品（２）は既存の指輪により部品（１）を固定する役割を代用することもできる。
【考案の詳細な説明】
【技術分野】
【０００１】  この発明は革製の細長い部品と貴金属の部品によるネクタイに関するものである。
【背景技術】
【０００２】  従来の革製ネクタイは布製のネクタイと同様の形状となっていた。
【考案の開示】
【考案が解決しようとする課題】
【０００３】  これは、次のような欠点があった。
革製のネクタイは布製のものより素材に柔軟性が無いことより結びにくい性質のものとなっている。
革製のネクタイで結び目を作ると、革に力が加わり結び目の部分の劣化が大きい。
本発明は以上のような欠点をなくすためになされたものである。
【課題を解決するための手段】
【０００４】  細長い形状の革部品（１）を設け輪を作り、重なった部分を貴金属の部品（２）にて止める。革部品（１）で作った輪を首からかけ、貴金属部品（２）をネクタイの結び目のかわりとする。
本発明は、以上の構成よりなる革と貴金属のネクタイである。
【考案の効果】
【０００５】  革の部分で結び目を作る必要がなくなるので、結びにくさを解消する。
結び目を無くすことで革に余計な力を加えることがなくなり劣化を防ぐことができる。
【考案を実施するための最良の形態】
【０００６】  以下、本発明を実施するための最良の形態について説明する。
細長い形状の革部品（１）を設け輪を作り、重なった部分を貴金属の部品（２）にて止める。革部品（１）で作った輪を首からかけ、貴金属部品（２）をネクタイの結び目のかわりとする。
ネクタイを締める場合は貴金属部品（２）を上方向に移動させ、輪の形状を小さくする。逆に、ネクタイをゆるめる場合は貴金属部品（２）を下方向に移動させ、輪の形状を大きくする。
【図面の簡単な説明】
【０００７】
【図１】本発明の正面図である
【図２】本発明の側面図である
【図３】本発明の断面図である
【符号の説明】
【０００８】  １  革製部品
２  貴金属部品
【図１】
0003159308.tif 000003
【図２】
0003159308.tif 000004
【図３】
0003159308.tif 000005
【手続補正書】
【提出日】平成21年11月9日(2009.11.9)
【手続補正１】
【補正対象書類名】実用新案登録請求の範囲
【補正対象項目名】全文
【補正方法】変更
【補正の内容】
【実用新案登録請求の範囲】
【請求項１】
（イ）革製の細長い部品（１）を設ける
（ロ）部品（１）で輪をつくり重なった部分をまとめる貴金属製の部品（２）を設ける
（ハ）部品（１）を部品（２）でまとめることによりできた輪を首に通す
以上の構成よりなる革と貴金属を用いたネクタイ
【請求項２】
（イ）部品（１）は細長い革を二つ折りにし、革の重なった側をジグザグ縫いして広げる      ことにより、平らで細長い筒状の部品とする
以上のような特徴の部品（１）と貴金属を用いた請求項１記載のネクタイ
【請求項３】
（イ）部品（２）は貴金属でできており、筒状の構造とする
（ロ）部品（２）の筒の断面図は閉じた形状ではなく隙間があり、その先端より内側に突      起がでている図３−２のような形状とする
（ハ）部品（２）の筒の内部にある突起により、部品（１）を固定する形状となる
以上のような特徴の部品（２）と革を用いた請求項１記載のネクタイ
【請求項４】
（イ）部品（２）は既存の指輪により部品（１）を固定する役割を代用することもできる
以上のような特徴の部品（２）と革を用いた請求項１記載のネクタイ
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
（イ）革製の細長い部品（１）を設ける
（ロ）部品（１）で輪をつくり重なった部分をまとめる貴金属製の部品（２）を設ける
（ハ）部品（１）を部品（２）でまとめることによりできた輪を首に通す
以上の構成よりなる革と貴金属を用いたネクタイ
【請求項２】
（イ）部品（１）は細長い革を二つ折りにし、革の重なった側をジグザグ縫いして広げる      ことにより、平らで細長い筒状の部品とする
以上のような特徴の部品（１）と貴金属を用いた請求項１記載のネクタイ
【請求項３】
（イ）部品（２）は貴金属でできており、筒状の構造とする
（ロ）部品（２）の筒の断面図は閉じた形状ではなく隙間があり、その先端より筒の内部      に向かって突起がでている形状とする
（ハ）部品（２）の内部に部品（１）を通すことでネクタイとするが、部品（２）の内部      にある突起により、部品（１）を固定する形状となる
以上のような特徴の部品（２）と革を用いた請求項１記載のネクタイ
【請求項４】
（イ）部品（２）は指輪により部品（１）を固定する役割を代用することもできる
以上のような特徴の部品（２）と革を用いた請求項１記載のネクタイ
(57)【要約】      （修正有）【課題】水を通さない素材で楽器ケースに即した形状の袋を作り、楽器をケースごと覆うケースカバーを提供する。【解決手段】雨返しを設けた開口部１を開き大型弦楽器本体を収めたケースを収納し、側面に設けた切り込み２からケースに設置されたストラップをかけるための金具を取り出す。以上の構造でこれを使用するときは、フックの付いたストラップを金具に装着し運搬する。つなぎ目がなく、楽器ケース全体を覆うので水濡れの心配がなくなる。【選択図】図１
0003159310.tif 000002
【実用新案登録請求の範囲】
【請求項１】
大型弦楽器を収めたケースの上から被せ、楽器及び楽器ケースを雨などに濡れないようにする為の大型弦楽器ケースカバー。
【考案の詳細な説明】
【技術分野】
【００１】  この考案は、雨などの水濡れから大型弦楽器及びケースを守る為のものである。
【背景技術】
【００２】  従来、大きなゴミ袋やビニール風呂敷などで覆っていた。
【考案の開示】
【考案が解決しようとする課題】
【００３】  その為次のような問題があった。
何枚ものビニールを張り合わせていたため、隙間やめくれた部分から水が浸入し、楽器及びケースが濡れてしまっていた。本考案は以上の問題点を解決する為になされたものである。
【課題を解決するための手段】
【００４】  水を通さない素材で楽器ケースに即した形状の袋を作り、楽器をケースごと覆うカバーである。
【考案の効果】
【００５】  つなぎ目がなく、楽器ケース全体を覆うので水濡れの心配がなくなる。
【考案を実施するめの最良の形態】
【００６】  以下本考案の実施の形態について説明する。
雨返しを設けた開口部（１）を開き大型弦楽器本体を収めたケースを収納し、側面に設けた切り込み（２）からケースに設置されたストラップをかけるための金具を取り出す。
本考案は、以上の構造でこれを使用するときは、フックの付いたストラップを金具に装着し運搬する。
【図面の簡単な説明】
【００７】
【図１】本考案の側面図
【図２】本考案の正面図
【図３】本考案の底面図
【図４】本考案の使用状態を示す説明図
【符号の説明】
【００８】  １  開口部
２  切り込み部
【図１】
0003159310.tif 000003
【図２】
0003159310.tif 000004
【図３】
0003159310.tif 000005
【図４】
0003159310.tif 000006
【手続補正書】
【提出日】平成21年12月15日(2009.12.15)
【手続補正１】
【補正対象書類名】実用新案登録請求の範囲
【補正対象項目名】全文
【補正方法】変更
【補正の内容】
【実用新案登録請求の範囲】
【請求項１】
水を通さない素材で大型弦楽器ケースに即した形状の袋を作り、楽器をケースごと覆う形状を有する大型弦楽器ケースカバーである。
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
水を通さない素材で大型弦楽器ケースに即した形状の袋を作り、楽器をケースごと覆う形状を有する大型弦楽器ケースカバー。